(57)【特許請求の範囲】
【請求項１】
ボディと、
前記ボディの内部に前後方向に沿って設けられた中空状の錘通路と、
前記錘通路内にその通路に沿って前後方向に移動可能に設けられた錘部材とを備え、
前記錘部材は、錘と、その錘の外面を被覆する被覆部材とによって構成されるとともに、
前記被覆部材は、前記錘よりも摩擦係数が小さい素材によって構成され、かつ前記錘が圧入されたチューブ状の樹脂成形品、または前記錘よりも摩擦係数が小さい素材によって構成され、かつ前記錘が収容された状態で熱収縮されたチューブ状の樹脂成形品によって構成されていることを特徴とする重心移動式ルアー。
【請求項２】
前記被覆部材はフッ素樹脂によって構成されている請求項１に記載の重心移動式ルアー。
【請求項３】
前記錘通路の内周面に前後方向に連続して伸び、かつ前記錘部材の外面に接触しつつ錘部材の移動をガイドするガイドレールが設けられている請求項１または２に記載の重心移動式ルアー。
【請求項４】
複数の錘が前記被覆部材によって被覆されて前記錘部材が構成されている請求項１〜３のいずれか１項に記載の重心移動式ルアー。
【請求項５】
前記錘部材を磁力によって前記錘通路の前端部位置に保持する保持手段をさらに備える請求項１〜４のいずれか１項に記載の重心移動式ルアー。
【発明の詳細な説明】
【技術分野】
【０００１】
この発明は、内部に収容された錘が前後方向に移動することによって重心位置が変化するようにした重心移動式ルアーに関する。
【背景技術】
【０００２】
ルアーフィッシングに用いられるルアーとして特許文献１，２に示すように重心移動式のルアーが周知である。この重心移動式ルアーは、ルアー本体（ボディ）の内部に前後方向に伸びる中空状の錘通路が形成されており、この錘通路内に鋼球等の錘が前後方向に転動自在に収容されている。さらにボディにおける錘通路の前端に対応する位置には鋼球を磁力によって吸着する磁石が固定されており、磁石によって鋼球を前端位置に保持できるようになっている。
【０００３】
このルアーによってルアーフィッシングを行う場合、キャスト時にはルアーがその後端側が前方に向くように飛行する。そしてその飛行時に慣性によって鋼球が磁石から離れて前方（ボディ後端側）に移動して重心が飛行方向に対し前方に移動するため、飛行中の姿勢が安定し、飛距離を大きく延ばすことができる。またルアーが着水すると、鋼球がボディ後端部から前端部に戻って磁石に吸着して保持される。これによりルアーの重心がボディ前端側に戻るため、リトリーブ時にはバランスを崩すことがなく、ルアーの尾部を大きく揺らすように理想的な動作で遊泳させることができる。
【先行技術文献】
【特許文献】
【０００４】
【特許文献１】特開平１１−１１３４４９号公報
【特許文献２】特許第５６８１９０３号
【発明の概要】
【発明が解決しようとする課題】
【０００５】
上記のような重心移動式ルアーにおいては、キャスト時の安定した飛行姿勢や、リトリーブ時の良好な遊泳動作を確実に実現するために、鋼球等の錘の前後移動をスムーズに行う必要がある。このため上記従来の重心移動式ルアーにおいては、球状や円柱状等の転動可能な錘を使用し、錘を滑らせずに転動させることにより錘の錘通路に対する摩擦抵抗を低減させて、錘の前後移動つまり重心の移動をスムーズに行えるようにしている。
【０００６】
しかしながら、上記従来の重心移動式ルアーは、錘の形状が球状や円柱状等に制限されるため、設計の自由度が低く汎用性に欠けるという課題があった。
【０００７】
この発明は、上記の課題に鑑みてなされたものであり、重心の移動をスムーズに行うことができるとともに、設計の自由度が増して汎用性を向上させることができる重心移動式ルアーを提供することを目的とする。
【課題を解決するための手段】
【０００８】
上記目的を達成するため、本発明は以下の構成を要旨とするものである。
【０００９】
［１］ボディと、
前記ボディの内部に前後方向に沿って設けられた中空状の錘通路と、
前記錘通路内にその通路に沿って前後方向に移動可能に設けられた錘部材とを備え、
前記錘部材は、錘と、その錘の外面を被覆する被覆部材とによって構成されるとともに、
前記被覆部材は、前記錘よりも摩擦係数が小さい素材によって構成されていることを特徴とする重心移動式ルアー。
【００１０】
［２］前記被覆部材はフッ素樹脂によって構成されている前項１に記載の重心移動式ルアー。
【００１１】
［３］前記錘通路の内周面に前後方向に連続して伸び、かつ前記錘部材の外面に接触しつつ錘部材の移動をガイドするガイドレールが設けられている前項１または２に記載の重心移動式ルアー。
【００１２】
［４］複数の錘が前記被覆部材によって被覆されて前記錘部材が構成されている前項１〜３のいずれか１項に記載の重心移動式ルアー。
【００１３】
［５］前記錘部材を磁力によって前記錘通路の前端部位置に保持する保持手段をさらに備える前項１〜４のいずれか１項に記載の重心移動式ルアー。
【００１４】
なお本発明においては、以下の構成も採用することができる。
【００１５】
［６］前記保持手段は、磁石によって構成される磁石体と、その磁石体に磁力によって吸着される磁性材料によって構成される磁性体とを備え、
前記保持手段としての前記磁石体および前記磁性体のいずれか一方が、前記錘と共に前記被覆部材によって被覆されて前記錘部材に収容されるとともに、残り一方が前記ボディにおける前記錘通路の前端部周辺に取り付けられている前項１〜５のいずれか１項に記載の重心移動式ルアー。
【００１６】
［７］前記保持手段としての前記磁石体が前記被覆部材によって被覆されている前項５に記載の重心移動式ルアー。
【発明の効果】
【００１７】
発明［１］の重心移動式ルアーによれば、錘部材の外周面を摩擦係数が小さい被覆部材によって構成しているため、錘部材における錘通路の内周面に対する摩擦抵抗が低減されて錘部材を前後にスムーズに移動させることができ、重心移動をスムーズに行うことができる。さらに被覆部材によって覆われる錘として、どのような形状の錘も採用できて錘の形状が制限されないため、設計の自由度が増し汎用性を向上させることができる。
【００１８】
発明［２］の重心移動式ルアーによれば、被覆部材を摩擦係数が小さいフッ素樹脂によって構成しているため、重心移動を一層スムーズに行うことができる。
【００１９】
発明［３］の重心移動式ルアーによれば、錘部材がガイドレールによってガイドされるため、重心移動をよりスムーズに行うことができる。
【００２０】
発明［４］の重心移動式ルアーによれば、複数の錘を被覆部材によってひとまとめにして覆うことができるため、複数の錘がばらけてしまうような不具合が生じるのを防止でき、錘部材の移動をより一層スムーズに行うことができる。
【００２１】
発明［５］の重心移動式ルアーによれば、錘部材を磁力によって錘通路の前端部位置に保持する保持手段を備えているため、保持手段によって錘部材を錘通路の前端部位置に保持することによって、リトリーブ時にはルアーのバランスを適切に保つことができ、理想的な動作で遊泳させることができる。
【図面の簡単な説明】
【００２２】
【図１】図１はこの発明の第１実施形態である重心移動式ルアーを示す側面断面図である。
【図２】図２は第１実施形態のルアーにおける錘移動空間の前部周辺を拡大して示す側面断面図である。
【図３】図３は第１実施形態のルアーを示す正面断面図である。
【図４】図４はこの発明の第２実施形態である重心移動式ルアーを示す側面断面図である。
【図５】図５は第２実施形態のルアーに採用された錘部材を示す側面断面図である。
【発明を実施するための形態】
【００２３】
＜第１実施形態＞
図１はこの発明の第１実施形態である重心移動式ルアーＰ１を示す側面断面図、図２はそのルアーＰ１の要部を拡大して示す側面断面図、図３はそのルアーＰ１の正面断面図であって、図１のＸ−Ｘ線断面に相当する断面図である。なお以下の説明においては発明の理解を容易にするため、図１に向かって左側を「前側」または「正面側」、右側を「後側」または「背面側」とし、図１に向かって上側を「上側」、下側を「下側」として説明する。
【００２４】
これらの図に示すようにこの重心移動式ルアーＰ１は、外観形状が小魚のように前後方向（図１の左右方向）に伸びる細長い形状のボディ２を備えている。このボディ２の内部には、前後方向に伸びる中空状の錘通路２１が形成されている。
【００２５】
本実施形態においてボディ２は、プラスチック（合成樹脂）の成形品によって構成されており通常、ボディ単独では淡水および海水等の水に浮揚するように構成されている。
【００２６】
ボディ２の錘通路２１における内周面の両側部および下端部の３箇所、つまり錘通路２１の内周面における周方向に間隔をおいた３箇所には、錘通路２１に沿って前後方向に連続して伸びるガイドレール２２がそれぞれ一体に形成されている。各ガイドレール２２は後述する錘部材３に接触して錘部材３の移動をガイドするものである。
【００２７】
ボディ２の前部における錘通路２１の前方には前後に並ぶようにして４つの球状の錘４…が固定されている。この錘４…のうち最後尾の錘（錘通路前端の錘）４は磁性体４ａを兼用するものである。
【００２８】
磁性体４ａとしての錘通路前端の錘４はその周面の一部が錘通路２１の前端に露出するように配置されている。
【００２９】
本第１実施形態において錘４は鉄、ニッケル、コバルト、クロム等、磁石に磁力によって吸着される磁性材料によって構成されている。もっとも本実施形態においては、４つの錘４のうち、磁性体４ａを兼用する錘通路前端の錘４は磁性材料によって構成する必要があるが、それ以外の錘４は必ずしも磁性材料によって構成する必要はなく、磁石に吸着されない非磁性材料例えば、タングステン、モリブデン、銅、銀、鉛等の高比重金属等によって構成するようにしても良い。
【００３０】
この第１実施形態のルアーＰ１においてはボディ２の前端部にはライン（釣り糸）を結び付けるためのリング状のライン取付部（ラインアイ）２５が固定されている。さらにボディ２の下端部の前後２箇所と、後端部には、フック（釣り針）を取り付けるためのリング状の釣り針取付部（フック取付部）２６が固定されている。
【００３１】
またボディ２の前端部下側には、ルアーＰ１に良好な遊泳動作を付与するための水流抵抗板（リップ）２７が前方のやや斜め下向きに突出するように一体に形成されている。
【００３２】
錘通路２１内に収容される錘部材３は全体として円柱形状を有している。この錘部材３は前端面に凹部３２が形成された円柱形状の錘３１を備えている。その錘３１の凹部３２には、磁石（マグネット）によって構成される磁石体３ａが嵌め込まれて固定されている。そしてこの磁石体３ａが固定された錘３１の外周面全体を覆うように被覆部材３５が取り付けられている。
【００３３】
本実施形態において錘３１はタングステン等の高比重の非磁性材料によって構成されている。なお本実施形態においては錘３１は必ずしも非磁性材料によって構成する必要はなく、磁性材料によって構成するようにしても良い。
【００３４】
また本第１実施形態において被覆部材３５は、パイプ状ないしチューブ状に成形されたフッ素樹脂成形品によって構成されている。このチューブ状のフッ素樹脂成形品は柔軟性および弾力性を備えており、被覆部材３５としてのチューブ状のフッ素樹脂成形品内に上記磁石付きの錘３１が圧入されることによって、錘３１が被覆部材３５内に収容された状態に保持される。これにより錘部材３が形成されている。
【００３５】
この錘部材３においては、錘３１の前端面に嵌め込まれた磁石体３ａが前面側に露出するように配置されている。本実施形態においては、この磁石体３ａと、ボディ２に固定された錘通路前端の錘（磁性体）４ａとによって、錘部材３を磁力によって錘通路２１の前端部に保持するための保持手段が構成されている。
【００３６】
この構成の錘部材３がボディ２の錘通路２１にその錘通路２１に沿って前後方向に移動可能に収容されている。ここで錘部材３が錘通路２１を前後移動する際には、ガイドレール２２が錘部材３の外周面（被覆部材３５）に摺接して錘部材３をガイドするようになっている。この錘部材３の移動時において被覆部材３５は低摩擦係数のフッ素樹脂によって構成されているため、錘部材３のガイドレール２２に対する摩擦抵抗が低減されて、錘部材３の前後移動がスムーズに行われるようになっている。
【００３７】
また図１の実線に示すように錘部材３が錘通路２１の前端部に配置された状態では、錘部材３の前端面に露出した磁石体３ａと、ボディ２に取り付けられた磁性体４ａとが直接接触した状態で、磁性体４ａが磁石体３ａに磁力によって吸着されることにより、錘部材３が錘通路２１の前端部位置に保持されるようになっている。
【００３８】
以上のように第１実施形態の重心移動式ルアーＰ１は、錘部材３の外周面を低摩擦係数のフッ素樹脂製の被覆部材３５によって構成しているため、錘部材３が前後にスムーズに移動する。このためこのルアーＰ１を用いてルアーフィッシングを行う場合、キャスト時にはルアーＰ１はその後端側が前方に向いて飛行するが、その飛行時に慣性によって錘部材３の磁石体３ａが磁性体４ａから離れて図１の想像線に示すように、錘部材３が錘通路２１に沿ってボディ後方側にスムーズに移動する。このようにルアーＰ１の重心を飛行方向に対し前端側に確実に移動させることができるため、飛行中の姿勢が安定して飛行距離を飛躍的に伸ばすことができるとともに、ルアーＰ１の着水位置も正確にコントロールすることができる。
【００３９】
またルアーＰ１が着水した際には、慣性によって錘部材３が錘通路２１に沿ってボディ前方側にスムーズに移動して、図１および図２の実線に示すように錘部材３の磁石体３ａがボディ２側の磁性体４ａに吸着して、錘部材３がボディ２の前部位置に確実に保持される。これによりルアーＰ１の重心がボディ２の前部側に戻るため、リトリーブ時にはルアーＰ１のバランスを適切に保つことができ、ルアーＰ１を小魚のように揺れ動かすことができて理想的な動作で遊泳させることができる。
【００４０】
また本第１実施形態の重心移動式ルアーＰ１においては、錘部材３の被覆部材３５によって滑り抵抗を低減させるものであるため、被覆部材３５内に収容される錘３１として、どのような形状の錘３１も採用することができる。このように錘３１の形状等が制限されないため、設計の自由度が増し汎用性を向上させることができる。
【００４１】
＜第２実施形態＞
図４はこの発明の第２実施形態である重心移動式ルアーＰ２を示す側面断面図、図５はそのルアーＰ２に採用された錘部材３を示す側面断面図である。
【００４２】
両図に示すようにこの第２実施形態の重心移動式ルアーＰ２においては、ボディ２における錘通路２１の前端に対応する位置に、磁石によって構成される磁石体３ａが固定されている。この磁性体３ａはその後面側が錘通路２１の内部に露出するように配置されている。
【００４３】
また錘通路２１に移動可能に収容される錘部材３は、前後に３つ並んで配置される球状の錘３１と、錘３１を３つまとめて被覆する被覆部材３５とを備えている。
【００４４】
錘３１は例えば鋼球等によって構成されている。本実施形態において３つの錘３１のうち少なくとも前端に位置する錘は、磁力によって磁石に吸着される磁性材料によって構成される磁性体４ａを兼用するものである。
【００４５】
なお本実施形態において前端の錘３１を除いた中間および後端の錘３１は必ずしも磁性材料によって構成する必要はなく、磁石に吸着されない高比重金属の非磁性材料等によって構成するようにしても良い。
【００４６】
被覆部材３５は、フッ素樹脂成形品を熱収縮させたチューブ状フッ素樹脂熱収縮品によって構成されている。すなわちチューブ状のフッ素樹脂成形品内に３つの錘３１をまとめて収容した状態でフッ素樹脂成形品を熱収縮させることによって、フッ素樹脂熱収縮品としての被覆部材３５内に３の錘３１をまとめて密着状態に収容した錘部材３を作製するようにしている。
【００４７】
この錘部材３は、磁性体４ａとしての前端の錘３１の一部が前方に露出するように配置されている。
【００４８】
この錘部材３が既述した通りボディ２の錘通路２１内に錘通路２１に沿って前後方向に移動可能に収容されている。
【００４９】
本第２実施形態においては上記第１実施形態と同様、錘部材３の被覆部材３５は低摩擦係数のフッ素樹脂によって構成されているため、錘部材３のガイドレール２２に対する摩擦抵抗が低減されて、錘部材３の前後移動がスムーズに行われる。
【００５０】
また図４の実線に示すように錘部材３が錘通路２１の前端部に配置された状態では、錘部材３の前端面に露出した磁性体４ａと、ボディ２に取り付けられた磁石体３ａとが直接接触した状態で、磁性体４ａが磁石体３ａに磁力によって吸着されることにより、錘部材３が錘通路２１の前端位置に保持されるようになっている。
【００５１】
この第２実施形態においては、ボディ２に固定された磁石体３ａと、錘部材３の前端に位置する錘（磁性体）４ａとによって、錘部材３を錘通路２１の前端部に保持するための保持手段が構成されている。
【００５２】
この第２実施形態のルアーＰ２において他の構成は、上記第１実施形態のルアーＰ１の構成と実質的に同様であるため、同一または相当部分に同一符号を付して重複説明は省略する。
【００５３】
以上のように本第２実施形態の重心移動式ルアーＰ２においても上記第１実施形態と同様、錘部材３の移動がスムーズに行われるため、ルアーフィッシングを行う際にキャスト時には図４の想像線に示すように錘部材３がボディ２の飛行方向に対し前端側に確実に移動し、飛行姿勢を安定させることができる。またリトリーブ時には図４の実線に示すように錘部材３がボディ２の前方側に確実に移動し、上記第１実施形態と同様にルアーＰ２を理想的な動作で遊泳させることができる。
【００５４】
さらに第２実施形態のルアーＰ２は上記第１実施形態と同様、被覆部材３５内に収容される錘３１として、どのような形状の錘３１も採用でき、錘３１の形状等に制限されないため、設計の自由度が増し汎用性を向上させることができる。
【００５５】
またこの第２実施形態のルアーＰ２においては、錘通路２１内に収容される複数の錘３１を被覆部材３５によってひとまとめにして覆うようにしているため、複数の錘３１がばらけてしまうような不具合がない。このためこのルアーＰ２においては、錘部材３の移動（重心の移動）をより一層スムーズに行うことができ、キャスト時の安定した飛行姿勢、リトリーブ時の良好な遊泳動作をより一層確実に実現することができる。
【００５６】
なお上記実施形態においては、錘通路２１内に収容される錘３１の数が１個または３個の場合を例に挙げて説明したが、本発明において錘通路内の錘の数は限定されるものではなく、２個であっても４個以上であっても良い。
【００５７】
さらに上記実施形態においては、ボディ２に固定される錘４の数が３個または４個の場合を例に挙げて説明したが、本発明においてボディに固定される錘の数も限定されるものではなく、この錘の数を０〜２個または５個以上に設定するようにしても良い。
【００５８】
また上記実施形態においては、錘部材の被覆部材をフッ素樹脂成形品によって構成しているが、本発明においては、被覆部材の少なくとも外周面にフッ素樹脂が設けられていれば良く、例えば被覆部材として、外周面にライニング材としてフッ素樹脂がコーティングされたものも採用することができる。
【００５９】
また上記実施形態においては、錘通路２１の内周面にガイドレール２２を形成して、そのガイドレール２２によって錘部材３の移動をガイドするように構成しているが、本発明においてはガイドレール２２を必ずしも設ける必要はない。例えば本発明においては錘通路内にガイドレールを形成せずに、錘通路２１をチューブ状に形成しその錘通路１２の内周壁面を直接錘部材３に接触するように構成して、錘部材３を錘通路２１の内周壁面によってガイドするように構成しても良い。
【００６０】
また上記実施形態においては、磁力によって錘部材３を錘通路２１の前端部位置に保持できるようにした固定方式を採用しているが、それだけに限られず、本発明においては、錘部材を錘通路上に固定しない非固定方式も採用することができる。この場合言うまでもなく、磁性体や磁石体等の保持手段を用いる必要はない。 
【産業上の利用可能性】
【００６１】
この発明の重心移動式ルアーは、ブラックバス、スズキ、シイラ等の魚類、タコ、イカ等の軟体動物等の各種のルアーフィッシングに用いることができる。 
【符号の説明】
【００６２】
２：ボディ
２１：錘通路
２２：ガイドレール
３：錘部材
３１：錘
３５：被覆部材
Ｐ１，Ｐ２：重心移動式ルアー
【図１】
0006666140.tif 000002
【図２】
0006666140.tif 000003
【図３】
0006666140.tif 000004
【図４】
0006666140.tif 000005
【図５】
0006666140.tif 000006